(57)【要約】【課題】家事効率の向上を図ることができる住宅を提供する。【解決手段】住宅は、屋内空間として、キッチン１５と、キッチン１５に隣接して設けられたダイニング１４と、キッチン１５及びダイニング１４に隣接して設けられた洗面室１６とを備える。キッチン１５とダイニング１４との間には、それら両空間１４，１５を区画するようにして作業台２７が設けられ、作業台２７の側方にはキッチン１５とダイニング１４との間を出入りするための出入スペース３５が設けられている。洗面室１６への出入口としては、キッチン１５から出入りするための出入口４７と、ダイニング１４から出入りするための出入口５２とが設けられている。これにより、住宅には、それら各出入口４７，５２と出入スペース３５とを通過する周回経路Ｒが設けられている。【選択図】      図２
2017110470.tif 000002
【特許請求の範囲】
【請求項１】
キッチン空間と、
前記キッチン空間に隣接して設けられたダイニング空間と、
前記キッチン空間及び前記ダイニング空間に隣接して設けられた洗面室とを備え、
前記キッチン空間と前記ダイニング空間との間には、それら両空間を区画するようにして前記キッチン空間で作業をする際に用いられる作業台が設けられ、
前記作業台の側方には前記キッチン空間と前記ダイニング空間との間を出入りするための出入スペースが設けられ、
前記洗面室への出入口として、前記キッチン空間から出入りするための第１出入口と、前記ダイニング空間から出入りするための第２出入口とが設けられていることで、それら各出入口と前記出入スペースとをそれぞれ通過する周回経路が設けられていることを特徴とする住宅。
【請求項２】
前記周回経路は前記作業台の周囲を周回する経路となっていることを特徴とする請求項１に記載の住宅。
【請求項３】
前記出入スペースを挟んで前記作業台とは反対側には外壁部が設けられ、
前記外壁部には、屋外に向けて開口する窓部が設けられ、
前記窓部は、前記キッチン空間と前記ダイニング空間とに跨がるように形成されていることを特徴とする請求項２に記載の住宅。
【請求項４】
家事を行う者が自らの趣味を行うための趣味室を備え、
前記趣味室は、前記周回経路に隣接して設けられ、当該周回経路から出入部を介して出入り可能とされていることを特徴とする請求項１乃至３のいずれか一項に記載の住宅。
【請求項５】
前記趣味室は前記ダイニング空間に隣接して設けられ、
前記趣味室と前記ダイニング空間との間には、前記趣味室と前記ダイニング空間との間を行き来するための開口部が設けられ、
前記開口部には、当該開口部を開閉する建具として明障子が設けられていることを特徴とする請求項４に記載の住宅。
【請求項６】
前記開口部は、前記趣味室と前記ダイニング空間との境界部においてその幅方向全域に亘って開口していることを特徴とする請求項５に記載の住宅。
【発明の詳細な説明】
【技術分野】
【０００１】
本発明は、住宅に関する。
【背景技術】
【０００２】
住宅には、キッチン空間とダイニング空間とが互いに連続した一体空間であるダイニングキッチン（ＤＫ）が設けられている場合がある（例えば特許文献１参照）。かかる住宅では、料理等を行うキッチン空間と、配膳等を行うダイニング空間とが互いに連続しているため、家事を行う者（例えば主婦）がこれらの空間を行き来するのが容易となっており、家事の効率化が図られている。
【０００３】
また、ダイニングキッチンが設けられた住宅では、流し台やコンロ等を備える作業台がキッチン空間とダイニング空間との間にそれら両空間を仕切るようにして設置されている場合がある。この場合、家事を行う者が作業台の前に立つと作業台越しにダイニング空間を見渡すことができるため、キッチン空間で料理等をしながらダイニング空間にいる家族（例えば子供等）の様子を見守ることが可能となる。
【先行技術文献】
【特許文献】
【０００４】
【特許文献１】特開２００１−３１１３１６号公報
【発明の概要】
【発明が解決しようとする課題】
【０００５】
ところで、一般に、住宅には洗面室に洗濯機が設置されている。そのため、家事を行う者が洗濯等を行う際には洗面室に出入りすることとなる。したがって、家事を行う者が家事に際し行き来する空間としては、上述したキッチン空間及びダイニング空間に加えて、洗面室が含まれている。しかしながら、従来の住宅においては、洗面室がキッチン空間やダイニング空間から離れて配置されている等、洗面室をも含めた家事の効率化までは図られておらず、その点で改善の余地があると考えられる。
【０００６】
本発明は、上記事情に鑑みてなされたものであり、家事効率の向上を図ることができる住宅を提供することを主たる目的とするものである。
【課題を解決するための手段】
【０００７】
上記課題を解決すべく、第１の発明の住宅は、キッチン空間と、前記キッチン空間に隣接して設けられたダイニング空間と、前記キッチン空間及び前記ダイニング空間に隣接して設けられた洗面室とを備え、前記キッチン空間と前記ダイニング空間との間には、それら両空間を区画するようにして前記キッチン空間で作業をする際に用いられる作業台が設けられ、前記作業台の側方には前記キッチン空間と前記ダイニング空間との間を出入りするための出入スペースが設けられ、前記洗面室への出入口として、前記キッチン空間から出入りするための第１出入口と、前記ダイニング空間から出入りするための第２出入口とが設けられていることで、それら各出入口と前記出入スペースとをそれぞれ通過する周回経路が設けられていることを特徴とする。
【０００８】
本発明によれば、キッチン空間とダイニング空間との間にそれら両空間を仕切るようにして作業台が設けられ、その作業台の側方に設けられた出入スペースを通じてキッチン空間とダイニング空間との間の出入りが可能となっている。また、洗面室はキッチン空間及びダイニング空間にそれぞれ隣接して設けられ、洗面室への出入口としてはキッチン空間から出入り可能な第１出入口と、ダイニング空間から出入り可能な第２出入口とが設けられている。この場合、住宅内に、それら第１出入口及び第２出入口と出入スペースとをそれぞれ通過する周回経路が設けられ、この周回経路をキッチン空間、ダイニング空間及び洗面室を回遊する回遊動線として利用することが可能となっている。これにより、キッチン空間、ダイニング空間及び洗面室のうちいずれの空間からも他の空間へ最短経路で移動することができ、その結果これら各空間にて家事を行うに際し家事効率の向上を図ることができる。
【０００９】
第２の発明の住宅は、第１の発明において、前記周回経路は前記作業台の周囲を周回する経路となっていることを特徴とする。
【００１０】
本発明によれば、周回経路が作業台の周囲を周回するように形成されている。ここで、周回経路としては、作業台の周囲を周回しない経路も考えられるが、その場合、キッチン空間において袋状のスペースが発生することが想定され、そうなるとキッチン空間、ダイニング空間及び洗面室の間で円滑な移動を行うのが困難になるおそれがある。その点、周回経路が作業台の周囲を周回する上述の構成では、キッチン空間に袋状のスペースが発生するのを回避できるため、各空間の間で円滑な移動を行うことが可能となる。
【００１１】
第３の発明の住宅は、第２の発明において、前記出入スペースを挟んで前記作業台とは反対側には外壁部が設けられ、前記外壁部には、屋外に向けて開口する窓部が設けられ、前記窓部は、前記キッチン空間と前記ダイニング空間とに跨がるように形成されていることを特徴とする。
【００１２】
本発明によれば、作業台が外壁部から離間して配置されていることで作業台と外壁部との間に出入スペースが形成されている。そして、外壁部には屋外に開口する窓部がキッチン空間とダイニング空間とに跨がるように形成されている。この場合、外壁部にキッチン空間とダイニング空間とに跨がる大開口を形成できるため、それら各空間への採光性の向上を図りながら、家事効率の向上を図ることができる。
【００１３】
第４の発明の住宅は、第１乃至第３のいずれかの発明において、家事を行う者が自らの趣味を行うための趣味室を備え、前記趣味室は、前記周回経路に隣接して設けられ、当該周回経路から出入部を介して出入り可能とされていることを特徴とする。
【００１４】
本発明によれば、家事を行う者（家事従事者）が家事の合間に趣味室で自分の趣味を楽しむことができる。また、趣味室は周回経路に隣接し当該周回経路から出入りが可能とされているため、家事の合間の空き時間を利用して趣味を楽しむ上で都合のよい構成となっている。
【００１５】
第５の発明の住宅は、第４の発明において、前記趣味室は前記ダイニング空間に隣接して設けられ、前記趣味室と前記ダイニング空間との間には、前記趣味室と前記ダイニング空間との間を行き来するための開口部が設けられ、前記開口部には、当該開口部を開閉する建具として明障子が設けられていることを特徴とする。
【００１６】
本発明によれば、趣味室とダイニング空間との間の開口部に建具として明障子が設けられている。この場合、明障子を閉めることで趣味室がダイニング空間から閉鎖された個室空間とされるため、趣味室にて自分の趣味に打ち込むことができる。また、明障子を閉めた状態でもダイニング空間からの光が明障子を介して趣味室に入り込むため、ダイニング空間にいる家族（例えば子供等）の様子（気配）を感じながら、趣味に打ち込むことができる。
【００１７】
第６の発明の住宅は、第５の発明において、前記開口部は、前記趣味室と前記ダイニング空間との境界部においてその幅方向全域に亘って開口していることを特徴とする。
【００１８】
本発明によれば、開口部が趣味室とダイニング空間との境界部においてその幅方向全域に亘って開口している。この場合、趣味室においてどこの場所に座っても開口部（明障子）を通じてダイニング空間の様子を感じとることができるため、ダイニング空間にいる家族の様子を感じとりながら趣味を楽しむ上で好適な構成といえる。
【図面の簡単な説明】
【００１９】
【図１】住宅の一階部分の間取りを示す平面図。
【図２】ダイニング、キッチン及び洗面室の周辺を拡大して示す平面図。
【図３】（ａ）が図２におけるａ方向から見た図であり、（ｂ）がｂ方向から見た図であり、（ｃ）がｃ方向から見た図である。
【図４】洗面室の内部構成を示す図であり、（ａ）が洗面室内部を図２におけるｄ方向から見た図であり、（ｂ）がｅ方向から見た図であり、（ｃ）がｆ方向から見た図であり、（ｄ）がｇ方向から見た図である。
【図５】趣味室の内部構成を示す図であり、（ａ）が趣味室内部を図２におけるｈ方向から見た図であり、（ｂ）がｉ方向から見た図であり、（ｃ）がｊ方向から見た図であり、（ｄ）がｋ方向から見た図である。
【発明を実施するための形態】
【００２０】
以下に、本発明を具体化した一実施の形態について図面を参照しつつ説明する。本実施形態では、住宅が二階建ての住宅となっており、図１は、その住宅の一階部分の間取りを示す平面図となっている。
【００２１】
図１に示すように、住宅１０の一階部分には、屋内空間として、玄関１１と、玄関ホール１２と、リビング１３と、ダイニング１４と、キッチン１５と、洗面室１６と、浴室１７と、トイレ１８と、趣味室１９とが設けられている。リビング１３とダイニング１４とキッチン１５とは互いに連続した連続空間となっている。この連続空間はいわゆるＬＤＫ空間と呼ばれるものである。リビング１３とダイニング１４とキッチン１５とはいずれも住宅１０の南側に設けられ、東西方向（一方向）に並んで配置されている。したがって、リビング１３とダイニング１４とキッチン１５とはいずれも南側（南面）の外壁部２１ａに隣接しており、その外壁部２１ａにより屋外と仕切られている。なお、ダイニング１４がダイニング空間に相当し、キッチン１５がキッチン空間に相当する。
【００２２】
リビング１３には、ソファ２３やテレビ２４等が設けられている。リビング１３は、家族団らんの場、テレビ鑑賞の場として用いられる。リビング１３は玄関ホール１２を介して玄関１１に通じているとともに、二階部分へ延びる階段２２にも通じている。
【００２３】
ダイニング１４はリビング１３の東側に隣接して設けられている。ダイニング１４にはテーブル２５ａと椅子２５ｂとを有してなるダイニングセット２５が設けられている。ダイニング１４は、食事の場として用いられる他、家族団らんの場としても用いられる。なお、リビング１３とダイニング１４との間にはそれら両空間１３，１４を仕切る間仕切壁が一切設けられていない。
【００２４】
キッチン１５は、ダイニング１４の東側に隣接して設けられている。キッチン１５は、一階部分において南東の角部に位置している。このため、キッチン１５は、南側の外壁部２１ａだけでなく東側の外壁部２１ｂにも隣接しており、その東側の外壁部２１ｂにより屋外と仕切られている。なお、ダイニング１４とキッチン１５との間にはそれら両空間１４，１５を仕切る間仕切壁が設けられていない。
【００２５】
続いて、キッチン１５周辺の構成について図２及び図３を用いながら説明する。図２は、ダイニング１４、キッチン１５及び洗面室１６の周辺を拡大して示す平面図である。図３は、（ａ）が図２におけるａ方向から見た図であり、（ｂ）が図２におけるｂ方向から見た図であり、（ｃ）が図２におけるｃ方向から見た図である。
【００２６】
図２及び図３（ａ）に示すように、ダイニング１４とキッチン１５との間には、流し台２７ａやコンロ台２７ｂを有する作業台２７が設けられている。作業台２７は、ダイニング１４とキッチン１５とを互いに区画するように設けられている。すなわち、作業台２７は、その幅方向（左右方向）がダイニング１４とキッチン１５との境界部に沿って延びる向きで配置されている。また、作業台２７には、そのダイニング１４側に本等を収納可能な収納棚３４が隣接させて配置されている。したがって、詳しくは、この収納棚３４及び作業台２７によりダイニング１４とキッチン１５とが互いに仕切られている。
【００２７】
作業台２７の上方には、調理用具等を収納する収納棚２８が設けられている。収納棚２８は天井付近に設けられ、作業台２７の上方に離間して配置されている。したがって、作業台２７と収納棚２８との間にはダイニング１４とキッチン１５とを連通する連通部２９が形成されている。この場合、この連通部２９を通じてキッチン１５からダイニング１４やリビング１３を見渡すことができるため、キッチン１５で家事をしながらダイニング１４やリビング１３にいる家族（子供等）の様子を見守ることが可能となっている。
【００２８】
図２及び図３（ｂ）に示すように、キッチン１５には、東側の外壁部２１ｂに隣接させて冷蔵庫３１と収納棚３２とが設けられている。収納棚３２は、腰高程度の高さを有したものであり、その上面を作業台としても利用することが可能となっている。また、外壁部２１ｂにおいて収納棚３２よりも上方には窓部３３が形成されている。
【００２９】
作業台２７は、南側の外壁部２１ａから離間して配置されている。この場合、作業台２７の側面と外壁部２１ａとの間には所定のスペースが形成されており、そのスペースがキッチン１５とダイニング１４との間を出入りするための出入スペース３５となっている。この場合、この出入スペース３５を介してダイニング１４とキッチン１５とが繋がっている。
【００３０】
図２及び図３（ｃ）に示すように、外壁部２１ａには、屋内外を連通する窓部３６が形成されている。窓部３６はいわゆる掃き出し窓となっており、ダイニング１４と出入スペース３５とキッチン１５とに跨がるよう形成されている。したがって、窓部３６は、南向きに開口した比較的大開口の窓部とされている。この場合、この窓部３６を通じてダイニング１４及びキッチン１５より屋外に出入りすることが可能となっている。また、窓部３６にはガラス戸３７が配設され、そのガラス戸３７により窓部３６が開閉されるようになっている。
【００３１】
なお、ダイニング１４及びキッチン１５の南側に隣接させてバルコニーやテラス等の半屋外空間を設けてもよい。この場合、ダイニング１４及びキッチン１５が外壁部２１ａにより半屋外空間と仕切られることになり、その外壁部２１ａに形成された窓部３６を通じてダイニング１４及びキッチン１５から半屋外空間に出入りすることになる。
【００３２】
キッチン１５の北側には洗面室１６が隣接して設けられている。以下、洗面室１６周辺の構成について図２に加え図４を用いながら説明する。図４は、洗面室１６の内部構成を示す図である。図４において（ａ）が洗面室１６内部を図２におけるｄ方向から見た図であり、（ｂ）がｅ方向から見た図であり、（ｃ）がｆ方向から見た図であり、（ｄ）がｇ方向から見た図である。
【００３３】
図２に示すように、洗面室１６は東側の外壁部２１ｂに隣接しており、その外壁部２１ｂにより屋外と仕切られている。図４（ａ）〜（ｄ）に示すように、洗面室１６には、洗濯機４１や洗面台４２、収納棚４３等が設けられている。洗面台４２は、家事カウンター４２ａ（家事机）付きの洗面台となっており、外壁部２１ｂに隣接させて設けられている。この場合、この家事カウンター４２ａを利用して洗濯物を畳んだり衣類にアイロンがけしたりする等の家事を行うことが可能となっている。この点からすると、洗面室１６は家事室を兼用した家事室兼洗面室であるといえる。
【００３４】
洗面室１６とキッチン１５とは間仕切壁４６により仕切られており、その間仕切壁４６には洗面室１６とキッチン１５とを連通する出入口４７が形成されている。この出入口４７を通じて洗面室１６とキッチン１５との間の出入りが可能とされている。また、出入口４７には、引き戸からなるドア４８が設けられ、そのドア４８により出入口４７が開閉される。なお、出入口４７が第１出入口に相当する。
【００３５】
ちなみに、上述したキッチン１５の作業台２７はその側面が間仕切壁４６に当接させて設けられている。そのため、作業台２７と間仕切壁４６との間にはキッチン１５とダイニング１４との間を行き来するための出入スペースが存在しない。
【００３６】
洗面室１６の西側にはダイニング１４が隣接している。つまり、ダイニング１４は、その一部がキッチン１５よりも北側に張り出しており、その張り出した空間が洗面室１６と隣接している。したがって、洗面室１６はキッチン１５に加えてダイニング１４にも隣接している。
【００３７】
ここで、洗面室１６とキッチン１５とダイニング１４との配置関係について説明を加えると、ダイニング１４とキッチン１５とが並ぶ（隣接する）方向を第１方向Ｘとした場合に、キッチン１５と洗面室１６とはこの第１方向と直交する方向（以下、第２方向Ｙという）に並んで（隣接して）配置されている。この場合、ダイニング１４は第２方向Ｙにおいてキッチン１５よりも洗面室１６側に張り出した張出空間部１４ａを有しており、その張出空間部１４ａが洗面室１６と第１方向Ｘに隣接している。
【００３８】
洗面室１６とダイニング１４（詳しくは張出空間部１４ａ）とは間仕切壁５１により仕切られている。その間仕切壁５１には洗面室１６とダイニング１４とを連通する出入口５２が設けられている。この出入口５２を通じて洗面室１６とダイニング１４との間の出入りが可能となっている。また、出入口５２には開き戸からなるドア５３が設けられ、そのドア５３により出入口５２が開閉される。なお、出入口５２が第２出入口に相当する。
【００３９】
上記のように、本住宅１０では、ダイニング１４とキッチン１５と洗面室１６とが相互に隣接して設けられている。そして、ダイニング１４とキッチン１５との間が出入スペース３５を介して出入り可能とされ、キッチン１５と洗面室１６との間が出入口４７を介して出入り可能とされ、洗面室１６とダイニング１４との間が出入口５２を介して出入り可能とされている。この場合、本住宅１０には、出入スペース３５と各出入口４７，５２とをそれぞれ通過するとともに作業台２７の周囲を周回するループ状の周回経路Ｒが設けられている。このため、この周回経路Ｒをダイニング１４とキッチン１５と洗面室１６とを回遊する回遊動線として利用することが可能となっている。また、この周回経路Ｒはダイニング１４においてはダイニングセット２５（詳しくはテーブル２５ａ）と作業台２７（詳しくは収納棚３４）との間を通過している。
【００４０】
洗面室１６の北側には浴室１７が隣接して設けられている。洗面室１６と浴室１７とは間仕切壁５５により仕切られており、その間仕切壁５５には洗面室１６と浴室１７とを連通する出入口５６が形成されている。この出入口５６を通じて洗面室１６と浴室１７との間の出入りが可能となっている。また、出入口５６には、折り戸からなるドア５７が設けられている。なお、出入口５６が第３出入口に相当する。
【００４１】
ここで、本住宅１０には、家事を行う者が家事の合間に自らの趣味を行うための趣味室１９が設けられている。以下においては、この趣味室１９について図２に加え図５を用いながら説明する。図５は趣味室１９の内部構成を示す図である。図５において（ａ）が趣味室１９内部を図２におけるｈ方向から見た図であり、（ｂ）がｉ方向から見た図であり、（ｃ）がｊ方向から見た図であり、（ｄ）がｋ方向から見た図である。
【００４２】
趣味室１９は、家事を行う者が自らの趣味を行うための専用空間となっている。家事を行う者は、趣味室１９において裁縫や読書、音楽鑑賞等、自らの趣味を行うことが可能となっている。図２に示すように、趣味室１９は、ダイニング１４（詳しくは張出空間部１４ａ）の北側に隣接して設けられている。つまり、趣味室１９はダイニング１４と上記第２方向Ｙに並んで配置されている。
【００４３】
図２及び図５（ｃ）に示すように、趣味室１９とダイニング１４との境界部には開口部６１が設けられている。開口部６１は、上記境界部の幅方向全域に亘って開口する大開口となっている。この開口部６１を通じてダイニング１４と趣味室１９との間の出入りが可能となっている。なお、開口部６１が出入部に相当する。
【００４４】
開口部６１には、建具として障子戸６２が設けられている。この障子戸６２により開口部６１が開閉されるようになっている。障子戸６２は、木枠６２ａに和紙等の紙６２ｂ（白紙）が張られた明障子からなる。詳しくは、障子戸６２は、木枠６２ａに紙６２ｂが太鼓張りで張られた太鼓張障子となっている。このように、建具が障子戸６２からなるため、趣味室１９にはダイニング１４側の光が障子戸６２を通して入るようになっている。そのため、障子戸６２を閉めた状態でも、ダイニング１４側の様子（気配）を感じ取ることが可能となっている。
【００４５】
趣味室１９は、洗面室１６及び浴室１７の西側にそれぞれ隣接している。図２及び図５（ｂ）に示すように、趣味室１９は、洗面室１６と間仕切壁６４により仕切られており、浴室１７と間仕切壁６５により仕切られている。間仕切壁６５は、間仕切壁６４よりも浴室１７側に後退させて形成されている。これにより、趣味室１９には間仕切壁６５に隣接して凹状空間６６が形成されている。この凹状空間６６には机６８が配設されている。机６８は、家事を行う者が趣味を行う際に利用するものとなっている。机６８は、凹状空間６６の大きさに合わせて形成され、同空間６６全域に亘って配設されている。また、趣味室１９には、机６８を利用する際に着座するための椅子６９が設けられている。
【００４６】
図２及び図５（ｄ）に示すように、趣味室１９を挟んで間仕切壁６４，６５とは反対側には間仕切壁７１が設けられている。この間仕切壁７１により趣味室１９はトイレ１８等と仕切られている。この間仕切壁７１には飾り棚７２が取り付けられており、また間仕切壁７１に隣接させて収納棚７３が設けられている。
【００４７】
図２及び図５（ａ）に示すように、趣味室１９は北側の外壁部２１ｃに隣接して設けられており、その外壁部２１ｃにより屋外と仕切られている。外壁部２１ｃには、趣味室１９と屋外とを連通する窓部７５が形成されている。窓部７５は、掃き出し窓により形成され、その窓部７５を通じて趣味室１９から屋外への出入りが可能となっている。窓部７５には、当該窓部７５を開閉するガラス戸７６が設けられている。
【００４８】
以上、詳述した本実施形態の構成によれば、以下の優れた効果が得られる。
【００４９】
キッチン１５とダイニング１４との間を仕切るようにして作業台２７を設け、その作業台２７の側方に設けた出入スペース３５を通じてキッチン１５とダイニング１４との間の出入りを可能とした。また、洗面室１６をキッチン１５及びダイニング１４にそれぞれ隣接させて設けるとともに、出入口４７を通じてキッチン１５と洗面室１６との間の出入りを可能とし、また出入口５２を通じてダイニング１４と洗面室１６との間の出入りを可能とした。この場合、住宅１０の一階部分に、それら各出入口４７，５２と出入スペース３５とをそれぞれ通過する周回経路Ｒが設けられ、この周回経路Ｒをキッチン１５、ダイニング１４及び洗面室１６を回遊する回遊動線として利用することが可能となっている。これにより、キッチン１５、ダイニング１４及び洗面室１６のうちいずれの空間からも他の空間へ最短経路で移動することができ、その結果これら各空間１４〜１６にて家事を行うに際し家事効率の向上を図ることができる。
【００５０】
周回経路Ｒを作業台２７の周囲を周回する経路とした。ここで、周回経路としては、作業台２７の周囲を周回しない経路も考えられるが、その場合、キッチン１５において袋状のスペースが発生することが想定され（例えば、キッチン１５における作業台２７と収納棚３２との間のスペースが袋状のスペースになることが想定される）、そうなるとキッチン１５、ダイニング１４及び洗面室１６の間で円滑な移動を行うのが困難になるおそれがある。その点、周回経路Ｒが作業台２７の周囲を周回する上述の構成では、キッチン１５に袋状のスペースが発生するのを回避できるため、各空間１４〜１６の間で円滑な移動を行うことが可能となる。
【００５１】
作業台２７を外壁部２１ａから離間して配置することで作業台２７と外壁部２１ａとの間に出入スペース３５を形成した。そして、外壁部２１ａには屋外に開口する窓部３６を設け、その窓部３６をキッチン１５とダイニング１４とに跨がるように形成した。この場合、外壁部２１ａにキッチン１５とダイニング１４とに跨がる大開口を形成できるため、それら各空間１４，１５への採光性の向上を図りながら、家事効率の向上を図ることができる。
【００５２】
住宅１０に家事を行う者（主婦等の家事従事者）が自らの趣味を行うための趣味室１９を設けたため、家事を行う者は家事の合間を利用して趣味室１９で自分の趣味を楽しむことができる。また、趣味室１９は趣味専用の部屋であるため、家事を行う者は趣味室１９で趣味を楽しんだ後、いちいち部屋（趣味室１９）を片付けることなく家事へと戻ることができる。
【００５３】
また、趣味室１９を周回経路Ｒに隣接して設け、その趣味室１９へは当該周回経路Ｒから開口部６１を通じて出入りできるようにしたため、家事を行う者が家事の合間を利用して趣味を楽しむ上で好都合な構成となっている。
【００５４】
趣味室１９を、周回経路Ｒを構成するダイニング１４に隣接させ、そのダイニング１４と趣味室１９との間にはそれら両空間１４，１９の間を行き来可能とする開口部６１を設けた。そして、この開口部６１には、建具として明障子からなる障子戸６２を設けた。この場合、障子戸６２を閉めることで趣味室１９がダイニング１４から閉鎖された個室空間とされるため、趣味室１９にて自分の趣味に打ち込むことが可能となる。また、障子戸６２を閉めた状態でもダイニング１４からの光が障子戸６２を介して趣味室１９に入り込むため、ダイニング１４にいる家族（例えば子供等）の様子（気配）を感じながら、趣味に打ち込むことができる。
【００５５】
開口部６１を、趣味室１９とダイニング１４との境界部においてその幅方向全域に亘って開口するよう形成した。この場合、趣味室１９においてどこの場所に座っても開口部６１（障子戸６２）を通じてダイニング１４の様子を感じとることができるため、ダイニング１４にいる家族の様子を感じとりながら趣味を楽しむ上で好適な構成といえる。
【００５６】
本発明は上記実施形態に限らず、例えば次のように実施されてもよい。
【００５７】
（１）上記実施形態では、周回経路Ｒを、作業台２７の周囲を周回する経路としたが、これを変更して、周回経路Ｒを、作業台２７の周囲を周回しない経路としてもよい。例えば、作業台２７を外壁部２１ａに当接させて配置することで作業台２７と間仕切壁４６との間を離間させ、それにより作業台２７と間仕切壁４６との間にキッチン１５とダイニング１４との間を出入りするための出入スペースを形成することが考えられる。この場合にも、その出入スペースと各出入口４７，５２とをそれぞれ通過する周回経路を設けることができるため、その周回経路をキッチン１５、ダイニング１４及び洗面室１６を回遊する回遊動線として利用することが可能となる。但し、かかる構成とすると、外壁部２１ａにキッチン１５とダイニング１４とに跨がる窓部３６を形成することができなくなるため、その点を鑑みると、上記実施形態のように作業台２７と外壁部２１ａとの間に出入スペース３５を形成するのが望ましい。
【００５８】
（２）上記実施形態では、趣味室１９を周回経路Ｒを構成するダイニング１４に隣接させ、そのダイニング１４から趣味室１９に開口部６１を通じて出入り可能としたが、これを変更してもよい。例えば、趣味室１９を、周回経路Ｒを構成するキッチン１５に隣接させ、そのキッチン１５と趣味室１９との間に相互に出入り可能な出入口を設けることが考えられる。この場合にも、趣味室１９には周回経路Ｒから出入りが可能となるため、家事を行う者が家事の合間を利用して自分の趣味を楽しむ上で好都合な間取りを実現できる。
【００５９】
なお、趣味室１９を、周回経路Ｒを構成するダイニング１４、キッチン１５及び洗面室１６のいずれからも離間させて設けるようにしてもよい。
【００６０】
（３）上記実施形態では、趣味室１９とダイニング１４との間の開口部６１に建具として障子戸６２（詳しくは明障子）を設けたが、格子戸や板戸等、障子戸６２以外の建具を設けてもよい。例えば、建具として格子戸を用いれば、ダイニング１４にいる家族の様子が把握し易くなる。
【００６１】
（４）上記実施形態では、開口部６１を趣味室１９とダイニング１４との間の境界部において、その幅方向全域に亘って開口するよう形成したが、これを変更して、開口部６１を上記境界部の幅方向の一部においてのみ開口するよう形成してもよい。その場合、その開口部６１を、趣味室１９において机６８を利用する際に着座する着座領域と当該開口部６１とが、ダイニング１４と趣味室１９とが並ぶ並び方向（すなわち第２方向Ｙ）と同方向に並ぶよう配置するのが望ましい。そうすれば、開口部６１が上記境界部の幅方向の一部にのみ開口する構成であっても、家事を行う者が机６８を利用して趣味を行う際に、開口部６１（障子戸６２）を通じてダイニング１４側の様子（気配）を感じとることが可能となる。
【００６２】
（５）上記実施形態では、住宅１０にリビング１３とダイニング１４とキッチン１５とが互いに連続したＬＤＫ空間が形成されていたが、リビング１３がダイニング１４と間仕切壁により仕切られている構成に本発明を適用してもよい。すなわち、住宅１０に、リビング１３とは独立してダイニング１４及びキッチン１５が連続したＤＫ空間（ダイニングキッチン）が形成されている場合に本発明を適用してもよい。
【符号の説明】
【００６３】
１０…住宅、１４…ダイニング空間としてのダイニング、１５…キッチン空間としてのキッチン、１６…洗面室、１９…趣味室、２１ａ…外壁部、２７…作業台、３５…出入スペース、３６…窓部、４７…第１出入口としての出入口、５２…第２出入口としての出入口、６１…出入部としての開口部、６２…障子戸、６８…机、Ｒ…周回経路。
【図１】
2017110470.tif 000003
【図２】
2017110470.tif 000004
【図３】
2017110470.tif 000005
【図４】
2017110470.tif 000006
【図５】
2017110470.tif 000007